(57)【要約】【課題】鍼との接続安定性や、接続操作性を向上し、患者の体への負担を軽減するとともに、衛生面での向上を図ることができる鍼通電用クリップ体及びクリップを提供する。【解決手段】本発明の鍼通電用クリップ体１は、互いに対向する平板からなる一対の挟持部３ａ，３ｂと、該挟持部同士をループ状に連結して互いに面接触する方向に付勢する連結部４と、一方の挟持部３ａの先端部から折り返される開操作用のレバー部５と、他方の挟持部３ｂの先端部から折り返される電極接続部６とを含んで構成され、導電性を有する。本発明の鍼通電用クリップＣは、前記鍼通電用クリップ体１と、電源に電線Ｗにより接続される電極７を保持する絶縁材料からなるクリップホルダ２と、を含んで構成され、前記電極接続部６と前記電極７とが着脱可能に連結されるとともに、連結状態で電気的に導通する。【選択図】図７
2018198873.tif 000002
【特許請求の範囲】
【請求項１】
互いに対向する平板からなる一対の挟持部と、前記一対の挟持部の基端部にて該挟持部同士をループ状に連結して互いに面接触する方向に付勢する連結部と、一方の挟持部の先端部から折り返され該挟持部の外側を通って前記連結部を超えて伸長する開操作用のレバー部と、他方の挟持部の先端部から折り返され該挟持部の外側を通って前記基端部方向へ伸長する電極接続部とを含んで構成される、導電性を有するものであることを特徴とする、鍼通電用クリップ体。
【請求項２】
前記連結部は前記レバー部に向かって突出する突出部を有し、前記レバー部の先端部を前記電極接続部に近接させる方向に押圧すると、前記レバー部の中央部が前記突出部に当接し、前記レバー部の先端部を力点、前記突出部を支点、前記一方の挟持部の先端部を作用点として、前記一対の挟持部が互いに離間するように構成されたことを特徴とする、請求項１に記載の鍼通電用クリップ体。
【請求項３】
全体が１枚の板バネを曲げて形成されたものであることを特徴とする、請求項１又は２に記載の鍼通電用クリップ体。
【請求項４】
前記一対の挟持部の挟持面には、滑り止め用凹凸パターンが設けられてことを特徴とする、請求項１〜３のいずれか１項に記載の鍼通電用クリップ体。
【請求項５】
請求項１〜４のいずれか１項に記載の鍼通電用クリップ体と、
電源に電線により接続される電極を保持する絶縁材料からなるクリップホルダと、
を含んで構成され、
前記クリップ体側の前記電極接続部を前記クリップホルダ側の前記電極により支持するように、前記電極接続部と前記電極とが着脱可能に連結されるとともに、連結状態で電気的に導通することを特徴とする、鍼通電用クリップ。
【請求項６】
前記クリップホルダは一対の側壁部を有し、前記クリップホルダが前記電極接続部に接続されると、前記側壁部は前記一対の挟持部の両側面に位置して鍼が前記挟持部の前記先端部から一定以上深く進入することを阻止することを特徴とする、請求項５に記載の鍼通電用クリップ。
【発明の詳細な説明】
【技術分野】
【０００１】
本発明は、鍼通電用クリップ体及びクリップに係り、特に、鍼との接続安定性や、接続操作性を向上し、患者の体への負担を軽減するとともに、衛生面での向上を図ることができる鍼通電用クリップ体及びそれを含んで構成されるクリップに係る。
【背景技術】
【０００２】
鍼通電治療は、体のつぼに一対の鍼を刺入して、その一対の鍼の間に低周波の双方向パルス電流を流すことにより、つぼを刺激して治療効果を得る治療法である。
【０００３】
従来、鍼通電治療において、体のつぼに刺入した鍼と通電用電源からの電線とを接続するクリップとしては、汎用のいわゆるミノムシクリップやワニ口クリップが用いられていた。例えば、特許文献１は、生体電流による治療を行うために鍼に接続するワニ口クリップを示している。このようなミノムシクリップやワニ口クリップは、互いに開閉可能に連結される一対のクリップ片の先端部同士をコイルばね等の付勢手段によって互いに接近させて、物品を挟持する挟持部分としている。このうち、「ミノムシクリップ」は、主に弱電用の、端子やリード線を挟持するクリップ本体にビニールなどの覆いをかぶせ、外観が蓑虫に似ているものをいい、一方、「ワニ口クリップ」は、主に弱電用から強電用の、クリップ本体がむき出しで外観がワニの口に似ているものをいう。尚、両者を総称して「ワニ口クリップ」と呼ぶ場合もある。
【０００４】
しかし、「ミノムシクリップ」では、２つのクリップ片の挟持部分には、大きなギザギザが設けられ、閉じたときに一方のクリップ片のギザギザの山が他方のクリップ片のギザギザの谷に入るようになっているが、部品精度のために隙間が多く、直径０．２ｍｍ程度の鍼の鍼体を確実につかめず、接続安定性が悪いという問題があった。
【０００５】
また、「ワニ口クリップ」では、上記のギザギザの問題に加えて、比較的大きな寸法の部品を挟むように設計されているので、物品を挟まない状態で閉じると、２つのクリップ片は先端部でのみ接触し、根元側に向かって隙間が大きくなる。したがって、直径０．２ｍｍ程度の鍼の鍼体をワニ口クリップで挟持する場合、挟持部分の先端部でしか挟持できず、接続の操作性が悪いという問題があった。
【０００６】
これらの問題に対処するために、鍼の鍼体ではなく、鍼のより直径の大きい鍼柄部分をミノムシクリップやワニ口クリップで挟持する方法もある。しかし、鍼柄の位置は皮膚の表面から離れているので、鍼がクリップに接続された電線で引っ張られると、体の刺入されている部分へのモーメントが大きくなり、体への負荷が大きくなったり、鍼が傾いて体から抜けやすくなったりする問題があった。また、クリップや電線の自重が鍼を刺入する方向に掛かり、通電による筋収縮と相俟って鍼の刺入深度が深くなるリスクもあった。
【０００７】
また、患者の体に刺入した鍼は、患者の体液に触れるので、感染症の予防等の観点から、各患者を治療するごとに使い捨てにされるが、この鍼を掴んだクリップも、体液に触れる可能性があるので、各患者を治療するごとに、アルコール等で消毒している。しかし、ミノムシクリップやワニ口クリップは通常電線とカシメ又ははんだ付けで接続されており電線から着脱できないので、オートクレーブ処理などによる滅菌処理が難しく、衛生面で不十分であるとの問題もあった。
【先行技術文献】
【特許文献】
【０００８】
【特許文献１】特開２００４−１５９７８０号公報
【発明の概要】
【発明が解決しようとする課題】
【０００９】
本発明は、上記問題に鑑み、鍼との接続安定性や、接続の操作性を向上し、患者の体への負担を軽減するとともに、衛生面での向上を図ることができる鍼通電用クリップ体及びクリップを提供することを課題とする。
【課題を解決するための手段】
【００１０】
前記課題を解決するために、本発明による鍼通電用クリップ体は、互いに対向する平板からなる一対の挟持部と、前記一対の挟持部の基端部にて該挟持部同士をループ状に連結して互いに面接触する方向に付勢する連結部と、一方の挟持部の先端部から折り返され該挟持部の外側を通って前記連結部を超えて伸長する開操作用のレバー部と、他方の挟持部の先端部から折り返され該挟持部の外側を通って前記基端部方向へ伸長する電極接続部とを含んで構成される、導電性を有するものであることを特徴とする。
【００１１】
また、本発明による鍼通電用クリップは、前記鍼通電用クリップ体と、電源に電線により接続される電極を保持する絶縁材料からなるクリップホルダと、を含んで構成され、前記クリップ体側の前記電極接続部を前記クリップホルダ側の前記電極により支持するように、前記電極接続部と前記電極とが着脱可能に連結されるとともに、連結状態で電気的に導通することを特徴とする。
【発明の効果】
【００１２】
上記構成を有する本発明の鍼通電用クリップ体及びクリップでは、互いに対向する平板からなる広い挟持部で、細い鍼でも挟むことができ、接続安定性及び接続操作性が向上した。
【００１３】
また、細い鍼の鍼体を掴めるため、患者の皮膚に近い部分を掴むことができ、このため、電線で引っ張られても鍼に加わるモーメントが小さく、患者の体への負担を軽減できるとともに、クリップや電線の自重等により鍼の刺入深度が深くなるリスクを軽減することが可能になった。
【００１４】
また、クリップ体を、電線と接続されたクリップホルダと着脱可能としたので、クリップ体を取り外して洗浄し、オートクレーブ等で滅菌処理することが可能になり、衛生性が向上した。
【図面の簡単な説明】
【００１５】
【図１】本発明の実施形態の鍼通電用クリップを示す斜視図
【図２】本発明の実施形態の鍼通電用クリップ体を示す図であり、（ａ）は平面図、（ｂ）は左側面図、（ｃ）は正面図、（ｄ）は右側面図、（ｅ）は底面図、（ｆ）は挟持部が開いた状態を示す正面図
【図３】（ａ）〜（ｈ）は、図２の鍼通電用のクリップ体の挟持面の滑り止め用凹凸パターンの例を示す説明図
【図４】図２の鍼通電用クリップ体の拡大図であり、（ａ）は底面図の拡大図、（ｂ）は図４（ａ）の右側面図
【図５】本発明の実施形態のクリップホルダを示す図であり、（ａ）は平面図、（ｂ）は左側面図、（ｃ）は正面図、（ｄ）は右側面図、（ｅ）は底面図、（ｆ）はＡ−Ａ線断面図
【図６】本発明の実施形態の鍼通電用クリップの閉じた状態を示す図であり、（ａ）は平面図、（ｂ）は左側面図、（ｃ）は正面図、（ｄ）は右側面図、（ｅ）は底面図、（ｆ）はＢ−Ｂ線断面図
【図７】本発明の実施形態の鍼通電用クリップの開いた状態を示す図６のＢ−Ｂ線断面図
【図８】本発明の実施形態の鍼通電用クリップの使用状態を示す説明図
【発明を実施するための形態】
【００１６】
以下、本発明の実施の形態を添付図面に基づいて説明する。
【００１７】
図１は本発明の実施形態の鍼通電用クリップを示す斜視図である。この鍼通電用クリップ（以下、単に「クリップ」ともいう）Ｃは、鍼通電用クリップ体（以下、単に「クリップ体」ともいう）１と、クリップホルダ２とからなる。このクリップ体１は、刺入された鍼を挟持する部品であり、クリップホルダ２は、クリップ体１に着脱可能に連結されるとともに、電線Ｗと接続されて電線Ｗからクリップ体１へ給電する部品である。尚、ここでいう「電線」とは、導体とその絶縁被覆とを含む。
【００１８】
図２は、本発明の実施形態のクリップ体１を示す図であり、（ａ）は平面図、（ｂ）は左側面図、（ｃ）は正面図、（ｄ）は右側面図、（ｅ）は底面図、（ｆ）は挟持部が開いた状態を示す正面図である。背面図は正面図と対称なので省略する。クリップ体１は、互いに対向する平板からなる一対の挟持部３ａ，３ｂと、前記一対の挟持部３ａ，３ｂの基端部３ａ−１，３ｂ−１にて該挟持部同士をループ状に連結して互いに面接触する方向に付勢する連結部４と、一方の挟持部３ａの先端部３ａ−２から折り返され該挟持部３ａの外側を通って前記連結部４を超えて伸長する開操作用のレバー部５と、他方の挟持部３ｂの先端部３ｂ−２から折り返され該挟持部３ｂの外側を通って前記基端部方向へ伸長する電極接続部６とを含んで構成される。
【００１９】
本実施形態では、連結部４のみならずクリップ体１全体を、１枚のステンレス鋼からなる板バネを折り曲げて構成している。これにより、クリップ体全体が比較的単純な形態になるため、洗浄時の洗浄液やオートクレーブによる滅菌処理時の高温蒸気がいきわたりやすく、洗浄や滅菌処理をしやすい構造になっている。
【００２０】
挟持部３ａ，３ｂは、クリップ体１の互いに対向する平板の部分からなる。挟持部３ａ，３ｂは、閉じた状態で互いに面接触するように配置されている。これにより、細い鍼の鍼体を確実に挟持でき、またミノムシクリップやワニ口クリップのようなギザギザもないので、挟持部の面内であれば、鍼を自由な方向に向けて挟持することができる。本実施形態では、ギザギザを設けない代わりに、挟持部３ａ，３ｂの挟持面に、滑り止め用凹凸パターンが設けられている。
【００２１】
図３に、滑り止め用凹凸パターンとして、窪みパターンの例を示す。（ａ）〜（ｈ）のそれぞれにおいて、上側の挟持部３ａの挟持面を下から見た図を「挟持面（上）」と称し、下側の挟持部３ｂの挟持面を上から見た図を「挟持面（下）」と称している。（ａ）は縦方向のストライプ状に溝を設けた窪みパターン、（ｂ）は横方向のストライプ状に溝を設けた窪みパターン、（ｃ）は上下の挟持面に、各々縦及び横方向のストライプ状に溝を設けた窪みパターン、（ｄ）は格子状に溝を設けた窪みパターン、（ｅ）は上下の挟持面に、互いに直交するように斜めに溝を設けた窪みパターン、（ｆ）は上下の挟持面に、互いに平行するように斜めに溝を設けた窪みパターン、（ｇ）は斜めの格子状に溝を設けたパターン、（ｈ）はドット状に窪みを設けた窪みパターンである。尚、（ｈ）の各ドットの形状は、例えば、四角錐、円錐、半球など、様々な形状のドット状の窪みであって良い。各窪みパターンのピッチは、好ましくは０．２〜１ｍｍ、特に好ましくは約０．３ｍｍ、溝幅やドットサイズは、好ましくは約０．３ｍｍ、深さは、好ましくは０．０１〜０．０５ｍｍで、例えば、金型によるプレス加工により形成されている。窪みをあまり深くすると、付着物が溜まりやすくなるので、衛生面からあまり深くしないことが望ましい。尚、滑り止め用凹凸パターンは、窪みパターンに限らず、凸部パターンや、凸部と窪みとの組み合わせからなるパターンであっても良い。
【００２２】
このような滑り止め用凹凸パターンを設けることにより、挟持した鍼がクリップ体の挟持部に対して滑りにくくなる。特に、鍼の軸方向とクリップ体の長手方向との成す角度の振れが低減し、接続安定性が高まる。
【００２３】
尚本実施形態では、図２に示すように、下側の挟持部３ｂを構成する板バネが上側の挟持部３ａを構成する板バネよりも長く伸びているが、挟持部３ａよりも長く伸びている部分は、鍼を挟持しないので、連結部４の一部とみなすことにする。したがって、本実施形態では、略三角形に構成されている部分を連結部４と呼ぶ。
【００２４】
連結部４は、一対の挟持部３ａ，３ｂをループ状に連結して互いに面接触する方向に付勢する部分である。また、鍼を挟んだ状態で鍼との通電に必要な所定の挟持圧が生ずるように挟持部３ａ，３ｂを付勢している。この付勢力は、連結部４を構成する板バネを、曲げ加工時にさらに曲げ込むことにより実現している。尚、「ループ状」とは、互いに近接する始点から終点へ遠回りして結ぶ形状を意味し、本実施形態では図２に示すような略三角形状としている。
【００２５】
レバー部５は、挟持部３ａの先端部３ａ−２から折り返され該挟持部３ａの外側を通って連結部４を超えて伸長している。レバー部５の先端部５ａを前記電極接続部６に近接させる方向に押圧すると前記一対の挟持部３ａ，３ｂが互いに離間し、これにより挟持部３ａ，３ｂを開操作できるようになっている。
【００２６】
レバー部５には、幅方向中央部にほぼ全長にわたって、一面側に膨出したビーディング加工部分５ｂが設けられ、曲げ剛性を高めている。
【００２７】
レバー部５の表面は、さらに、ほぼ全長にわたって、絶縁体５ｃで被覆されている。これにより、クリップを扱う鍼灸師が感電したり、患者の皮膚に鍼以外の箇所から電流が流れたりするのを防ぐためである。本実施形態では、絶縁体５ｃは、シリコーン樹脂製の熱収縮チューブを用い、これでレバー部５を被覆して表面を絶縁している（図２の二点鎖線部分）。但し絶縁体５ｃは、これに限らず、フッ素樹脂（例えば、ポリフッ化ビニリデン（ＰＶＤＦ））からなる耐熱性熱収縮チューブや、絶縁性の塗装や、絶縁性セラミック溶射膜等で形成してもよい。
【００２８】
本実施形態では、前記の連結部４は、レバー部５の方向へ突出した突出部４ａを有している。これにより、レバー部５の先端部５ａを前記電極接続部６に近接させる方向に押圧すると、前記レバー部５の長手方向の中間部が前記突出部４ａに当接し、前記レバー部５の先端部５ａを力点、前記突出部４ａを支点、前記一方の挟持部３ａの先端部３ａ−２を作用点として、前記一対の挟持部３ａ，３ｂを開操作できるように構成されている。尚、連結部４の突出部４ａは必須ではない。レバー部５が連結部４を超えて伸長してさえいれば、レバー機構が構成されて、レバー部５の先端部５ａを押圧すると、中間部が連結部４に当接しなくても、連結部４が弾性変形して挟持部３ａ，３ｂの開操作が可能だからである。但し、突出部４ａを設けてレバー部５を当接させた方が、より小さなレバー部５の動きで挟持部３ａ，３ｂを開くことができて操作し易い。
【００２９】
尚、レバー部５は、長手方向の中間部で少し屈曲し、先端部５ａがやや下がっている。これは、クリップ体１をクリップホルダ２に接続した状態での、非押下げ時のレバー部５の先端部５ａとクリップホルダ２の本体部分８（図６，７参照）との距離を最適な値にするためである。すなわち、開操作時に、レバー部５の先端部５ａをクリップホルダ２の本体部分８（図６，７参照）に当接するまで、押下げることができるが、その押下げ距離が大きすぎると、開操作時の連結部４等の弾性変形量が大きくなって耐久性が低下する恐れがあり、一方、押下げ距離が小さすぎると、挟持部３ａ，３ｂが十分に開かず操作性が悪くなるからである。
【００３０】
電極接続部６は、挟持部３ｂの先端部３ｂ−２から折り返され該挟持部３ｂの外側を通って基端部３ｂ−１方向へ伸長している。これは、クリップホルダ２の後述するピン電極７（図５参照）と着脱可能に接続する部分で、板状体を円筒状に成形し、縦方向スリットにより径方向に伸縮性を持たせた円筒部６ａとなっている（図４参照）。そして、この円筒部６ａを略円柱状のピン電極７に外嵌して、接続するようになっている。
【００３１】
クリップ体１の材質としては、導電性があり、洗浄や高温蒸気による滅菌処理に耐える耐熱性や耐腐食性のある材質であれば、いずれも使用できる。但し少なくとも連結部４はバネ性も必要である。ステンレス鋼板の他、ニッケルメッキ、クロムメッキ、亜鉛メッキ、スズめっき等を施した鋼板、リン青銅、チタンなどの金属板でもよい。しかし、衛生性を考慮すると、ステンレス鋼が好ましい。
【００３２】
尚、連結部４の少なくとも一部をバイメタル構造にして、高温のオートクレーブ処理時には挟持部３ａ，３ｂが開いて挟持面を良く滅菌できるようにし、冷却すると挟持部３ａ，３ｂが閉じて所定の挟持圧が生ずるようにしてもよい。
【００３３】
図５は、本発明の実施形態のクリップホルダ２を示す図であり、（ａ）は平面図、（ｂ）は左側面図、（ｃ）は正面図、（ｄ）は右側面図、（ｅ）は底面図、（ｆ）はＡ−Ａ線断面図である。背面図は正面図と対称なので省略する。クリップホルダ２は、クリップ体１に着脱可能に連結されるとともに、電線Ｗと接続されて電線Ｗからクリップ体１へ給電するようになっている。
【００３４】
本実施形態のクリップホルダ２は、略直方体の本体部分８と、その一端部から底面が延長するように前方に延出する底板部９と、その底板部９の両側からそれぞれ上方に延出する一対の側壁部１０ａ，１０ｂと、を有する。本体部分８の前記一端部、底板部９及び一対の側壁部１０ａ，１０ｂは、クリップ体１を収容するための箱状の空間であるホルダ部分１１を形成している。
【００３５】
本体部分８には、前記一端部から他端部へ貫通する貫通孔８ａが設けられ、略円柱状のピン電極７がこれに嵌入されて、前記ホルダ部分１１内に突設されている。一方、貫通孔８ａの他端部からは、電線Ｗが挿入されて、貫通孔８ａの内部にてピン電極７の端子部分７ａと電線Ｗの導体とがカシメ等により接続されている。本体部分の他端部には、電線Ｗの屈曲を防ぐ電線保護部分１２が形成されている。
【００３６】
本実施形態では、クリップホルダ２の本体部分８、底板部９、側壁部１０ａ，１０ｂ及び電線保護部分１２は、熱可塑性樹脂からなり、射出成形により一体成形されている。但し、クリップホルダ２の材料は、樹脂に限らず、所定の形状に加工可能な材料であれば良く、柔軟性を要する電線保護部分１２を除けば、金属等を用いても良いが、クリップを扱う鍼灸師が感電したり、患者の皮膚に鍼以外の箇所から電流が流れたりするのを防ぐため、少なくとも表面が絶縁体である必要がある。この点、樹脂は絶縁性を有し、また加工し易く軽量なので好ましい。尚、電線保護部分１２は、本実施形態では、本体部分８と一体成型されているが、電線保護部分１２を独立した部品として形成し、本体部分８に嵌めこんでも良い。
【００３７】
クリップ体１を、クリップホルダ２のホルダ部分１１に、ピン電極７の先端部側から押し込むと、電極接続部６の円筒部６ａがピン電極７の外周に嵌合され、両者は連結される。それにより、クリップ体１と、電線Ｗに接続されたクリップホルダ２とが連結され、本実施形態のクリップが構成される。こうして構成されたクリップＣを図６及び図７に示す。図６はクリップＣの閉じた状態を示す図であり、（ａ）は平面図、（ｂ）は左側面図、（ｃ）は正面図、（ｄ）は右側面図、（ｅ）は底面図、（ｆ）はＢ−Ｂ線断面図である。背面図は正面図と対称なので省略する。図７はクリップＣの開いた状態を示す図６のＢ−Ｂ線断面図である。
【００３８】
クリップホルダ２は、クリップ体１に接続された状態では、クリップ体１のレバー部５に対して略平行方向に連結部４を超えて伸長し、それにより、クリップホルダ２の本体部分８とレバー部５とを指でつまんで、挟持部３ａ，３ｂを開閉できるようになっている。この本体部分８の下面もレバー部５の上面も略平面なので、指でつまみやすく操作しやすい形状になっている。
【００３９】
また、クリップホルダ２がクリップ体１に接続されると、クリップホルダ２の底板部９の両側から延出した一対の側壁部１０ａ，１０ｂは、前記一対の挟持部３ａ，３ｂの両側面に位置して鍼が挟持部３ａ，３ｂの先端部３ａ−２，３ｂ−２から一定以上深く進入することを阻止している。これにより、挟持部３ａ，３ｂ間に進入させた鍼を、側壁部１０ａ，１０ｂに突き当てて位置決めすることができ、クリップＣの操作性が向上する。
【００４０】
また、クリップホルダ２は絶縁性を有し、絶縁被覆されたレバー部５以外のクリップ体１の略全体をクリップホルダ２のホルダ部分１１に収容するため、取り扱う鍼灸師の感電を防ぐことができる。
【００４１】
次に、上記のように構成された、本発明の実施形態の鍼通電用クリップの使用例について説明する。
【００４２】
図８は、本発明の鍼通電用クリップの使用状態を示す説明図である。２つの本発明の鍼通電用クリップＣ１，Ｃ２からそれぞれ導出される電線Ｗ１，Ｗ２の先端には、これらを纏めたコネクタＣＮが設けられており、鍼通電治療の電源となる通電治療器Ｔの１つの出力チャンネル（Ｃｈ１）のレセプタクルに接続されている。
【００４３】
鍼は、鍼灸師により、患者の体の治療対象部位に複数本刺し込まれている。刺し込む深さは部位により異なるが、２０〜３０ｍｍ程度である。このうち２本の鍼Ｎ１，Ｎ２の皮膚に近い部分にそれぞれのクリップＣ１，Ｃ２を接続する。従来のクリップでは、皮膚に近い部分の細い鍼体を掴むのが困難であったが、互いに対向する平板からなる広い挟持部３ａ，３ｂ（図７等参照）で、細い鍼を挟むことができ、接続安定性が向上した。
【００４４】
通電治療器Ｔを作動させて、２本の鍼Ｎ１，Ｎ２の間に微弱電流を流して治療する。この微弱電流は、通電部位や鍼の刺入深さなどによって異なるが、例えば、低周波（最大１００Ｈｚ）の＋／−双方向矩形電流パルスで、実効電流１ｍＡ以下である。本例では、一対の鍼Ｎ１，Ｎ２を用いた１チャンネルのみの治療であるが、複数対の鍼を用いて複数チャンネルの治療を同時に行う場合もある。
【００４５】
治療終了後、クリップＣ１，Ｃ２を取り外し、鍼Ｎ１，Ｎ２を引き抜く。患者の体に刺入した鍼Ｎ１，Ｎ２は、患者の体液に触れるので、感染症の予防等の観点から、各患者を治療するごとに使い捨てされる。この鍼を掴んだクリップＣ１，Ｃ２のクリップ体１も、体液に触れる可能性があるので、各患者を治療するごとに、クリップホルダ２から取り外し、アルコール等で洗浄後、オートクレーブ処理などによる滅菌処理を行う。これにより、十分な洗浄及び滅菌処理が可能になった。
【００４６】
尚、クリップホルダ２及びこれに接続された電線Ｗ１，Ｗ２も、鍼やそれに接続するクリップ体１に比べると汚染されにくいが、念のためアルコール等で拭いて洗浄する。
【００４７】
また、本実施例では、各患者を治療するごとに、クリップ体１をクリップホルダ２から取り外し、洗浄及び滅菌処理を行っているが、治療するごとに使い捨てにしてもよい。
【００４８】
尚、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００４９】
１…鍼通電用クリップ体
２…クリップホルダ
３ａ，３ｂ…挟持部
３ａ−１，３ｂ−１…挟持部の基端部
３ａ−２，３ｂ−２…挟持部の先端部
４…連結部
５…レバー部
５ａ…レバー部の先端部
５ｂ…ビーディング加工部分
５ｃ…絶縁体
６…電極接続部
６ａ…円筒部
７…電極（ピン電極）
７ａ…端子部分
８…本体部分
８ａ…貫通孔
９…底板部
１０ａ，１０ｂ…側壁部
１１…ホルダ部分
１２…電線保護部分
Ｔ…通電治療器
ＣＮ…通電治療器側コネクタ
Ｃ，Ｃ１，Ｃ２…鍼通電用クリップ
Ｗ，Ｗ１，Ｗ２…電線
Ｎ１，Ｎ２…鍼
【図１】
2018198873.tif 000003
【図２】
2018198873.tif 000004
【図３】
2018198873.tif 000005
【図４】
2018198873.tif 000006
【図５】
2018198873.tif 000007
【図６】
2018198873.tif 000008
【図７】
2018198873.tif 000009
【図８】
2018198873.tif 000010